(57)【要約】【課題】映像信号をリアルタイムで安定して伝送する。【解決手段】映像信号の構成を示す構成情報の重要度を測定し、これに応じて無線伝送を行う際のパラメータを変更するための指示信号を送信する信号重要度測定部１１を設ける。【選択図】図１
2007096811.tif 000002
【特許請求の範囲】
【請求項１】
映像信号を無線伝送するための映像無線伝送装置であって、
前記映像信号の構成を示す構成情報に応じて無線伝送を行う際のパラメータを変更するパラメータ変更手段と、
変更されたこの伝送パラメータに応じて映像信号を他の無線伝送装置に伝送する無線伝送部とを有することを特徴とする映像無線伝送装置。
【請求項２】
前記構成情報は、映像符号化信号のパケット識別情報と、タイミング信号のうちの少なくとも一方を含むことを特徴とする請求項１に記載の映像無線伝送装置。
【請求項３】
前記構成情報が、ＭＰＥＧシステムのプログラムアソシエーションセクション信号、プログラムマップセクション信号、前記タイミング信号のうちのいずれかである場合、前記映像信号を含むパケット信号を、通常のパケット信号を送信する際の無線伝送レートよりも低いレートで送信する送信手段を有することを特徴とする請求項１又は２に記載の映像無線伝送装置。
【請求項４】
前記構成情報は、タイムスタンプ信号を含み、当該タイムスタンプ信号を、通常のパケット信号を無線送信する際の無線伝送レートよりも低いレートで送信する送信手段を有することを特徴とする請求項１乃至３のいずれか１項に記載の映像無線伝送装置。
【発明の詳細な説明】
【技術分野】
【０００１】
本発明は、映像信号を無線伝送する技術に関し、特に、映像信号を高速伝送する映像無線伝送装置に関する。
【背景技術】
【０００２】
従来より音声を無線伝送する装置は盛んに用いられていたが、昨今においては、音声に加えて、映像信号を送信可能なものも存在し、伝送する信号の種別により伝送レートを変更するものも存在する（例えば、特許文献１参照）。
【０００３】
図１０に示すように、無線伝送装置１０１ａは、映像信号を所定の伝送レートにより対向する無線伝送装置１０１ｂに向けて伝送する。
【０００４】
例えば、ＩＥＥＥ８０２．１１ａやＩＥＥＥ８０２．１１ｇと呼ばれる規格の無線ＬＡＮ装置を使用すると、公称５４Ｍｂｐｓの無線伝送レートで伝送が行われる。
【０００５】
しかしながら、実際には、その時の電波の状況に併せて、無線伝送レートは、５４、４８、３６、２４、１８、１２、９、６Ｍｂｐｓの何れかに変化する。
【０００６】
また、映像信号は、一般的に数十〜数百Ｍｂｐｓのレートを有する。例えば、ＨＤＴＶ（High Definition Teleision）では、１．５Ｇｂｐｓにもなる。したがって、このまま伝送するには効率が悪いため、ＭＰＥＧ２という規格によりレートが圧縮される。圧縮されたレートは、およそ数Ｍｂｐｓ〜数十Ｍｂｐｓとなる。例えば、地上デジタル放送のＨＤＴＶ信号のレートは２４Ｍｂｐｓである。
【特許文献１】特開２００４−３４３７２６号公報
【発明の開示】
【発明が解決しようとする課題】
【０００７】
しかしながら、従来の映像無線伝送装置においては、ＭＰＥＧ２で圧縮された映像信号を無線伝送する際、図１０の同期信号１０５等に誤りが生じると受信側において大きく画像が乱れたり、もしくは再生できない場合がある。
【０００８】
なお、上記の特許文献１等に記載の技術は、音声や映像といった信号の種別に応じて伝速レートを変化させるためのものであり、映像信号自体の種別・状態に応じて伝送レートを変化させるわけではないため、前記のような問題を解決することができない。
【０００９】
本発明は、上記に鑑みてなされたもので、その目的としては、映像信号をリアルタイムで安定して伝送することが可能な映像無線伝送装置を提供することにある。
【課題を解決するための手段】
【００１０】
請求項１記載の発明は、上記課題を解決するため、映像信号を無線伝送するための映像無線伝送装置であって、前記映像信号の構成を示す構成情報に応じて無線伝送を行う際のパラメータを変更するパラメータ変更手段と、変更されたこの伝送パラメータに応じて映像信号を他の無線伝送装置に伝送する無線伝送部とを有することを要旨とする。
【００１１】
請求項２記載の発明は、上記課題を解決するため、前記構成情報は、映像符号化信号のパケット識別情報と、タイミング信号のうちの少なくとも一方を含むことを要旨とする。
【００１２】
請求項３記載の発明は、上記課題を解決するため、前記構成情報が、ＭＰＥＧシステムのプログラムアソシエーションセクション信号、プログラムマップセクション信号、前記タイミング信号のうちのいずれかである場合、前記映像信号を含むパケット信号を、通常のパケット信号を送信する際の無線伝送レートよりも低いレートで送信する送信手段を有することを要旨とする。
【００１３】
請求項４記載の発明は、上記課題を解決するため、前記構成情報は、タイムスタンプ信号を含み、当該タイムスタンプ信号を、通常のパケット信号を無線送信する際の無線伝送レートよりも低いレートで送信する送信手段を有することを要旨とする。
【発明の効果】
【００１４】
本発明によれば、同期信号、プログラムアソシエーションセクション信号、タイムスタンプ信号など映像を構成するために必要な制御信号を誤りの少ない安定な通信状態で伝送できる。したがって、映像信号が大きく乱れることなく安定に伝送でき、受信側において、安定した再生映像を得ることができる。
【発明を実施するための最良の形態】
【００１５】
以下、本発明の実施例について図面を参照して説明する。なお、以下の実施例において、同一の要素には同一の符号を付与する。
【実施例１】
【００１６】
図１は、本発明の実施例１に係る映像無線伝送装置１ａの構成図である。この伝送装置１ａは、信号重要度測定部１１と、無線伝送部１３と、アンテナ部１５とからなる。
【００１７】
信号重要度測定部１１は、伝送しようとする信号の重要度を測定し、この重要度に基づいて、無線伝送部１３の伝送パラメータを変更する。
【００１８】
無線伝送部１３は、アンテナ部１５と接続されており、設定された伝送パラメータに応じて映像信号を他の無線伝送装置１ａに伝送する。
【００１９】
上記の各部により映像信号を伝送するにあたっては、受信側の映像無線伝送装置１ａで映像を再構成（組み立て）し、この際に重要とされる映像の構成情報（識別情報、ＭＰＥＧシステムのプログラムアソシエーションセクション信号、プログラムマップセクション信号、タイミング信号等）は、比較的低いレートにより確実に伝送し、一方、多少誤りが発生しても映像を再生する際に大きな障害とはならない信号は、高いレートで伝送する。
【００２０】
具体的には、図２に示すように、映像信号重要度レベル検出部１１において、映像信号の内容を解析し、信号が同期信号や映像本体か、映像差分信号かを検出し、これに基づいて重要度を決定する（ステップＳ２１）。
【００２１】
続いて、重要度に応じて、無線伝送部１３に伝送パラメータを決定し（ステップＳ２３）、無線伝送部１３に伝送パラメータ変更指示信号を送信する（ステップＳ２５）。例えば、ＩＥＥＥ８０２．１１ａやＩＥＥＥ８０２．１１ｇと呼ばれる無線ＬＡＮ規格が使用されている場合、映像の同期信号や映像本体の信号は、３６Ｍｂｐｓ以下で伝送し、映像の差分信号は３６Ｍｂｐｓより高いレートで伝送するよう指示する。
【００２２】
無線伝送部１３は、伝送パラメータ変更指示信号を受信すると（ステップＳ２７）、指示されたパラメータに則り映像信号を伝送する（ステップＳ２９）。
【００２３】
なお、無線伝送を行う際のパラメータの具体例としては、上述した伝送レートの他に、パケット長、誤り訂正符号化率、再送機能等が挙げられる。例えば、データをより確実に伝送するためには、伝送レートは遅く、パケット長は短く、誤り訂正符号化率は高く、再送機能はＯＮであることが望ましい。これらは一般的にパケット毎に変更することが可能である。
【実施例２】
【００２４】
図３は、本発明の実施例２に係る映像無線伝送装置１ｂの構成図である。この映像無線伝送装置１ｂは、上記の映像無線伝送装置１ａと同様に信号重要度測定部１１と、無線伝送部１３と、アンテナ部１５とからなり、ＭＰＥＧ２と呼ばれる映像信号の符号化システムを使用する。
【００２５】
上記のＭＰＥＧ２においては、図４に示すように、符号化された情報は１つのメディア毎に適当な単位でパケット化され、可変長のＰＥＳ（Packetized Elementary Stream）を構成する。このＰＥＳパケットは、各種の制御情報を含むＰＥＳヘッダ４９とメディアデータであるＰＥＳペイロード５１から構成される。上記のＰＥＳヘッダ４９には、ストリームＩＤやパケット長の情報が含まれる。
【００２６】
また、ＰＥＳパケットには、各種の制御情報を含むＴＳ（Transport Stream）ヘッダ４７が付加され、これによりＴＳパケット４５が構成される。
【００２７】
なお、ＴＳヘッダには、同期バイト、ＰＩＤ（Packet Identifier：パケット識別子）、及び時間同期信号ＰＣＲ等が含まれる。
【００２８】
また、信号重要度測定部１１は、図３に示すように、伝送可能レート測定部１７、ＰＩＤ検出部１９、ＰＣＲ（Packet Cell Rate）検出部２１、ＰＥＳヘッダ検出部２３、重要度決定部２５、伝送レート決定部２７、伝送レート変更指示信号送信部からなる。
【００２９】
また、無線伝送部１３は、同じく図３に示すように、データ処理部３１と、ＲＦ部３３からなる。
【００３０】
また、上記のデータ処理部３１は、伝送レート変更指示信号受信部３５、ＢＰＳＫ（Bi-Phase Shift Keying）処理部３７、ＱＰＳＫ（Quadrature Shift Keying）処理部３９、１６ＱＡＭ（Quadrature Amplitude Modulation）処理部４１、６４ＱＡＭ処理部４３からなる。
【００３１】
以下、図５を参照しつつ、上記の信号重要度測定部１１の動作について説明する。
【００３２】
図５に示すように、伝送可能レート測定部１７により伝送可能レート（特に最大レート）が測定される（ステップＳ５１）。
【００３３】
また、ＰＩＤ検出部１９によりＰＩＤが検出され、これにより、ＴＳパケット４５内のメディア情報を記述している部分（プログラムアソシエーションセクション、プログラムマップセクション）、タイミング、ビデオデータ、オーディオデータ等が得られる。
【００３４】
また、ＰＣＲ検出部２１によりＰＣＲ（単位時間当たりの送信可能パケット数）が検出される（ステップＳ５５）。なお、このＰＣＲ検出部２１と、上記の伝送可能レート測定部１７とを同一のものとすることもできる。
【００３５】
また、ＰＥＳヘッダ検出部２３によりＰＥＳヘッダの有無が確認される（ステップＳ５７）。なお、上記のステップＳ５１〜Ｓ５７の実行順序は任意に変更可能である。
【００３６】
次に、重要度決定部２５により、検出された伝送可能レート、ＰＩＤ及びＰＣＲと、ＰＥＳヘッダの有無とに基づいて、信号重要度が決定される（ステップＳ５９）。この際、ＰＥＳヘッダが検出された場合は、重要度が「高」であると判定される。また、検出されたＰＩＤが番組構成に関連する情報である場合や、ＰＣＲが検出された場合である場合、重要度をさらに細分化することが可能である。
【００３７】
重要度が決定されると、伝送速度レート決定部２７により重要度に応じた伝送レートが決定される（ステップＳ６１）。なお、この際、重要度が高い場合は、より安定、換言すれば低いレート（例えば、IEEE802.11aであれば、６Ｍｂｐｓや９Ｍｂｐｓ）で伝送する旨が決定され、重要度が高くない場合は、それよりも高いレート（例えば、１２Ｍｂｐｓ、１８Ｍｂｐｓ、２４Ｍｂｐｓ、３６Ｍｂｐｓ、４８Ｍｂｐｓ、５４Ｍｂｐｓ）で伝送する旨が決定される。
【００３８】
伝送レートが決定されると、その旨を示す伝送レート変更指示信号が伝送レート変更指示信号送信部２９により送信される（ステップＳ６３）。
【００３９】
次に、図６を参照し、上記の無線伝送部１３の動作について説明する。
【００４０】
まず、伝送レート変更指示信号受信部３５により伝送レート変更指示信号が受信されると（ステップＳ６１）、これに示された伝送レートに応じた変調処理がＢＰＳＫ処理部等（図３の３７、３９、４１、４３）によりなされる（ステップＳ６３）。
【００４１】
所定の変調処理がなされると、ＲＦ部３３により、そのレートに基づいてパケットが送信される（ステップＳ６５）。
【００４２】
なお、決定された伝送レートが６Ｍｂｐｓや９Ｍｂｐｓである場合はＢＰＳＫ処理部３７が、１２Ｍｂｐｓや１８Ｍｂｐｓである場合はＱＰＳＫ処理部３９が、２４Ｍｂｐｓや３６Ｍｂｐｓである場合は１６ＱＡＭ処理部４１が、４８Ｍｂｐｓや５４Ｍｂｐｓである場合は６４ＱＡＭ処理部４３が動作する。
【実施例３】
【００４３】
図７は、本発明の実施例３に係る映像無線伝送装置１ｃの構成図である。この映像無線伝送装置１ｃは、上記の映像無線伝送装置１ｂに変更を加えたものであり、信号重要度測定部１１内にタイムスタンプ検出部５３が新たに設けられている。
【００４４】
図８に示すように、ＴＳパケット４５を無線伝送する際、複数のＴＳパケット４５をまとめ、タイムスタンプ５５を付加して伝送する場合がある。
【００４５】
このタイムスタンプ５５を付加することにより、ＴＳパケット４５の受信が遅れた場合でも、これに含まれる情報に基づいて正常な時間タイミングで信号を再生することができる。
【００４６】
この反面、タイムスタンプ５５に信号誤りが生じると、正常なタイミングで信号を再生することができなくなる。したがって、本実施例においては、タイムスタンプ５５を伝送する場合においても、より安定なレート（IEEE802.11aであれば、６Ｍｂｐｓや９Ｍｂｐｓ）で伝送するようにし、他のペイロードデータはより高速なレート（IEEE802.11aであれば、48Ｍｂｐｓや54Ｍｂｐｓ）で伝送するようにする。
【００４７】
したがって、タイムスタンプ５５は安定した伝送できるので、信号再生時において信号自体に誤りが生じても、正常な時間タイミングで信号を再生することができる。
【００４８】
以下、図９を参照しつつ、信号重要度測定部１１の動作について説明する。なお、図９のステップＳ９１〜Ｓ９７の動作は、図５のステップＳ５１〜Ｓ５７の動作と同様であり、図９のステップＳ１０５の動作は、図５のステップＳ６３の動作と同様である。また、無線伝送部１３の動作は、図６に示した動作と同様である。
【００４９】
図９に示すように、本実施例においては、上記の伝送可能レート、ＰＩＤ、ＰＣＲ、ＰＥＳヘッダに加えて、タイムスタンプ５５がタイムスタンプ検出部５３により検出されると（ステップＳ９９）、重要度決定部２５により重要度が「非常に高」であると判定され（ステップＳ１０１）、伝送レート決定部２７により重要度に応じた伝送レートが決定される（ステップＳ１０３）。
【００５０】
なお、上記の映像無線伝送装置等１ａ、１ｂ及び１ｃを用いる操作履歴蓄積方法も本発明の範囲に含まれる。
【００５１】
以上のように、本発明によれば、同期信号、プログラムアソシエーションセクション信号、タイムスタンプ信号など映像を構成するために必要な制御信号を誤りの少ない安定な通信状態で伝送できる。したがって、映像信号が大きく乱れることなく安定に伝送でき、受信側において、安定した再生映像を得ることができる。
【図面の簡単な説明】
【００５２】
【図１】本発明の実施例１に係る映像無線伝送装置の構成図である。
【図２】図１に示した映像無線伝送装置の動作シーケンス図である。
【図３】本発明の実施例２に係る映像無線伝送装置の構成図である。
【図４】図３に示した映像無線伝送装置により伝送されるＴＳパケットの構成図である。
【図５】図３に示した信号重要度測定部の動作シーケンス図である。
【図６】図３に示した無線伝送部の動作シーケンス図である。
【図７】本発明の実施例２に係る映像無線伝送装置の構成図である。
【図８】図７に示した映像無線伝送装置により伝送されるタイムスタンプ及びＴＳパケットの構成図である。
【図９】図７に示した信号重要度測定部の動作シーケンス図である。
【図１０】従来の無線伝送装置の一例を示す図である。
【符号の説明】
【００５３】
１ａ、１ｂ、１ｃ    映像無線伝送装置
１１    信号重要度測定部
１３    無線伝送部
１５    アンテナ部
１７    伝送可能レート測定部
１９    ＰＩＤ検出部
２１    ＰＣＲ検出部
２３    ＰＥＳヘッダ検出部
２５    重要度決定部
２７    伝送レート決定部
２９    伝送レート変更指示信号送信部
３１    データ処理部
３３    ＲＦ部
３５    伝送レート変更指示信号受信部
３７    ＢＰＳＫ処理部
３９    ＱＰＳＫ処理部
４１    １６ＱＡＭ処理部
４３    ６４ＱＡＭ処理部
４５    ＴＳパケット
４７    ＴＳヘッダ
４９    ＰＥＳヘッダ
５１    ＰＥＳペイロード
５３    タイムスタンプ検出部
５５    タイムスタンプ
【図１】
2007096811.tif 000003
【図２】
2007096811.tif 000004
【図３】
2007096811.tif 000005
【図４】
2007096811.tif 000006
【図５】
2007096811.tif 000007
【図６】
2007096811.tif 000008
【図７】
2007096811.tif 000009
【図８】
2007096811.tif 000010
【図９】
2007096811.tif 000011
【図１０】
2007096811.tif 000012